(57)【要約】      （修正有）【課題】回転寿司等で、食べた寿司の金額を計算機を使わないで、簡単に合計計算が出来るようにする事が課題である。【解決手段】予め定めた所定のキーを押す事により電話機能から計算機能に変わり、当該計算機能において、１から０の各キーは所定の金額と×を表示すべく構成し、更に、＊キーにて小合計を、＃キーにて総合計を表示すべく構成すると共に、計算機能に変わった時点で、別途定めたキーを押す事により、１から０の各キーにインプットされている各種の所定金額のうち必要なる金額群を呼出せるように構成し、更には別途に定めたキーで数字キーを一時的に本来の数字キーに戻すよう構成し、計算終了後、前記所定のキーを再度押すことにより計算機能から電話機能に復帰すべく構成してなる計算機能付携帯電話機である。【選択図】図１
2005057720.tif 000002
【特許請求の範囲】
【請求項１】
予め定めた所定のキーを押す事により電話機能から計算機能に変わり、当該計算機能において、１から０の各キーは所定の金額と×を表示すべく構成し、更に、＊キーにて小合計を、＃キーにて総合計を表示すべく構成すると共に、計算終了後、前記所定のキーを再度押すことにより計算機能から電話機能に復帰すべく構成してなる計算機能付携帯電話機。
【請求項２】
予め定めた所定のキーを押す事により電話機能から計算機能に変わり、当該計算機能において、１から０の各キーは所定の金額と×を表示すべく構成し、更に、＊キーにて小合計を、＃キーにて総合計を表示すべく構成すると共に、計算機能に変わった時点で、別途定めたキーを押す事により、１から０の各キーにインプットされている各種の所定金額のうち必要なる金額群を呼出せるように構成し、更には別途に定めたキーで数字キーを一時的に本来の数字キーに戻すよう構成し、計算終了後、前記所定のキーを再度押すことにより計算機能から電話機能に復帰すべく構成してなる計算機能付携帯電話機。
【発明の詳細な説明】
【発明の詳細な説明】
【技術分野】
【０００１】  本発明は携帯電話機に関するものであり、詳しくは携帯電話機に計算機能を付加させたものである。
【背景技術】
【０００２】  本来、携帯電話機は通信機器であり電話機能があれば問題はない。しかし、近年の携帯電話は、インターネットへの接続から始まり、テレビ電話機能、デジタルカメラ機能等、その機能の進歩は留まるところをしらず、また最近ではほとんどの人が携帯電話を所持している。一方、最近では都会から田舎まで、至るところに回転寿司が店を開いている。この回転寿司は手軽に寿司を食べられるという事で人気があるのだが、寿司一皿の料金の均一なところもあれば、素材によって料金の異なるところもある。料金が異なる場合、やはり自分がいくら食べて合計料金がいくらになるのか気になるものであるが、寿司を食べにいくのに計算機持参もできない。と言って、一般的には暗算でもなかなか計算できないものである。
【発明が解決しようとする課題】
【０００３】  このような問題を解決するには、計算機を所持しないで、簡単に合計計算が出来るようにする事が課題である。
【課題を解決するための手段】
【０００４】本発明においては、かかる課題を解決する手段として、予め定めた所定のキーを押す事により電話機能から計算機能に変わり、当該計算機能において、１から０の各キーは所定の金額と×を表示すべく構成し、更に、＊キーにて小合計を、＃キーにて総合計を表示すべく構成すると共に、計算終了後、前記所定のキーを再度押すことにより計算機能から電話機能に復帰すべく構成してなる計算機能付携帯電話機であり、更には、予め定めた所定のキーを押す事により電話機能から計算機能に変わり、当該計算機能において、１から０の各キーは所定の金額と×を表示すべく構成し、更に、＊キーにて小合計を、＃キーにて総合計を表示すべく構成すると共に、計算機能に変わった時点で、別途定めたキーを押す事により、１から０の各キーにインプットされている各種の所定金額のうち必要なる金額群を呼出せるように構成し、更には別途に定めたキーで数字キーを一時的に本来の数字キーに戻すよう構成し、計算終了後、前記所定のキーを再度押すことにより計算機能から電話機能に復帰すべく構成してなる計算機能付携帯電話機を呈せんとするものである。
【発明を実施するための最良の形態】
【０００５】  以下、本発明に係る計算機能付携帯電話機の態様を説明する。本実施例においては折畳式の携帯電話機を用いているが、非折畳式を用いる事も可能である。１は電源キー（プッシュボタン）であり、本実施例においては電源が入った状態で当該電源キー１を続けて２度押すことにより電話機能から計算機能に変わるように構成している。１から０の数字キーにはそれぞれ定められた金額と、その金額に続いて×がインプットされている。実施例においては、一の金額群として、１の数字キーには１００×、２の数字キーには１４０×、３の数字キーには２００×、４の数字キーには２４０×、５の数字キーには３００×、６の数字キーには３４０×、７の数字キーには４００×、８の数字キーには４４０×、９の数字キーには５００×、０の数字キーには５４０×をインプットし、当該一度インプットした金額群はキー２を押す事により保存すべく構成している。次に二の金額群として、１の数字キーには１２０×、２の数字キーには１６０×、３の数字キーには２２０×、４の数字キーには２６０×、５の数字キーには３２０×、６の数字キーには３６０×、７の数字キーには４２０×、８の数字キーには４６０×、９の数字キーには５２０×、０の数字キーには５６０×をインプットし、これもキー２にて保存する。このように各種の金額群を保存しておき、計算機能時においてキー３を随時押す事により異なる金額群が表示されるように構成している。また、計算中にキー４を押せば、一時的に数字キーは本来の数字キー機能となるように構成している。計算終了後には前記電源キー１を、２度続けて押すことにより電話機能に変わるように構成している。なお、本実施例においては、携帯電話機本体にこれらの機能を付与した構成で説明しているが、外部記録メディアを利用できる携帯電話機にあっては、これらの機能をスマートメディア或いはメモリーストック等の記録メディアにインプットしたものを装着してもよい。また本実施例においては、携帯電話機のキー（プッシュボタン）をキー２、キー３、キー４等といろいろの用途に使っているが、本考案においてはこれらのキー使用に限定されるものではない。また、金額群の設定も回転寿司等に限定される物ではなく、各種の金額設定ができるものである。【０００６】  次にその使用方法を説明すれば、まず携帯電話機の電源キー１を用いて電源をＯＮとし、電話機能状態とする。続いて電源キー１を２度続けて押して計算機能とする。次にキー３を押して必要な金額群を呼出す。二の金額群を指定したとすれば、１の数字キーでデイスプレーには１２０×が表示される。回転寿司で、１２０円の皿１０枚と１６０円の皿５枚を食べたとすれば、１の数字キーを押してディスプレーに１２０×を表示し、次いでキー４を押して一時的に数字キーを数字機能とし数字キーで１０を入力し、＊キーを押して小計を表示する。次いで次の皿は１６０円の皿であるから、２の数字キーを押して１６０×を表示し、次いでキー４を押して一時的に数字キーを数字機能とし数字キーで５を入力し、最後に＃を押すと総合計金額２．０００円が表示される。異なる金額の皿数があっても、操作はこの繰り返しである。
【発明の効果】
【０００７】  以上のように本発明は、予め定めた所定のキー（本実施例においては電源キー１）を押す事により電話機能から計算機能に変わり、当該計算機能において、１から０の各キーは所定の金額と×を表示すべく構成し、更に、＊キーにて小合計を、＃キーにて総合計を表示すべく構成すると共に、計算終了後、前記所定のキー（本実施例においては電源キー１）を再度押すことにより計算機能から電話機能に復帰すべく構成してなる計算機能付携帯電話機であり、更には、予め定めた所定のキー（本実施例においては電源キー１）を押す事により電話機能から計算機能に変わり、当該計算機能において、１から０の各キーは所定の金額と×を表示すべく構成し、更に、＊キーにて小合計を、＃キーにて総合計を表示すべく構成すると共に、計算機能に変わった時点で、別途定めたキー（キー３）を押す事により、１から０の各キーにインプットされている各種の所定金額のうち必要なる金額群を呼出せるように構成し、更には別途に定めたキー（キー４）で数字キーを一時的に本来の数字キーに戻すよう構成し、計算終了後、前記所定のキー（本実施例においては電源キー１）を再度押すことにより計算機能から電話機能に復帰すべく構成してなる計算機能付携帯電話機であるから、近年の携帯電話は、インターネットへの接続から始まり、テレビ電話機能、デジタルカメラ機能等、その機能の進歩はとどまるところをしらず、また、最近ではほとんどの人が携帯電話を所持している。一方、最近では都会から田舎まで、至るところに回転寿司が店を開いている。この回転寿司は手軽に寿司を食べられるという事で人気があるのだが、寿司一皿の料金の均一なところもあれば、素材によって料金の異なるところもある。料金が異なる場合、やはり自分がいくら食べて合計料金がいくらになるのか気になるものであるが、寿司を食べにいくのに計算機持参もできない。と言って、暗算でもなかなか計算できないものであったが、本考案では携帯電話機に計算機能を付与し、それも予め所定の金額などをインプットしてあるものであるから、例えば回転寿司へいっていろいろな金額の寿司を食べても、その合計金額は直ちに計算できるものであるし、また回転寿司だけでなく、あらゆる用途に利用できる等、携帯電話機に新たなる機能を付与することにより実生活において多大な顕著なる効果を有するものである。
【図面の簡単な説明】
【図１】  携帯電話機の斜視図である。
【符号の説明】
１  電源キー
２  金額群保存キー
３  金額群選定キー
４  数字キー変換キー
【図１】
2005057720.tif 000003